【手続補正書】
【提出日】平成27年6月9日(2015.6.9)
【手続補正１】
【補正対象書類名】特許請求の範囲
【補正対象項目名】全文
【補正方法】変更
【補正の内容】
【特許請求の範囲】
【請求項１】
石英ガラスからなる光ファイバであって、
前記光ファイバの中心軸を含む中心コアと、この中心コアを囲む光学クラッドと、この光学クラッドを囲むジャケットと、を備え、
前記中心コアは、ＧｅＯ２を含み、前記光学クラッドを基準とした相対屈折率差Δcoreが０.３５％以上０.５０％以下であり、径方向位置ｒにおける比屈折率差をΔ(ｒ)としコア半径をａとしたとき下記（１）式で表される屈折率体積ｖが４.５％・μｍ２以上９.５％・μｍ２以下であり、
【数１】
2013127608.tif 000001
前記ジャケットは、前記光学クラッドを基準とした相対屈折率差ΔJが０.０３％以上０.２０％以下であり、
前記中心コアを構成するガラスの仮想温度が１４００〜１５９０℃であり、
前記中心コアに残留する応力が圧縮応力であり且つその絶対値が５ＭＰａ以上である、
ことを特徴とする光ファイバ。
【請求項２】
石英ガラスからなる光ファイバであって、
前記光ファイバの中心軸を含む中心コアと、この中心コアを囲む光学クラッドと、この光学クラッドを囲むジャケットと、を備え、
前記中心コアは、ＧｅＯ２を含み、径方向位置ｒにおける比屈折率差をΔ(ｒ)としコア半径をａとしたとき下記（２）式で表される屈折率体積ｖが４.５％・μｍ２以上９.５％・μｍ２以下であり、
【数２】
2013127608.tif 000002
前記中心コアを構成するガラスの仮想温度が１３００〜１５９０℃であり、
前記中心コアに残留する応力が３０ＭＰａ以下の圧縮応力または１０ＭＰａ以下の引張応力である、
ことを特徴とする光ファイバ。
【請求項３】
前記仮想温度は１５３０℃以下である
ことを特徴とする請求項１または請求項２に記載の光ファイバ。
【請求項４】
２ｍファイバカットオフ波長が１２６０ｎｍ以上であり、
２２ｍケーブルカットオフ波長が１２６０ｎｍ以下であり、
波長１３１０ｎｍにおけるモードフィールド径が８.２〜９μｍであり、
波長１５５０ｎｍにおける伝送損失が０.１８ｄＢ／ｋｍ以下である、
ことを特徴とする請求項１または請求項３に記載の光ファイバ。
【請求項５】
前記中心コアに残留する応力の絶対値が３０ＭＰａ以下である
ことを特徴とする請求項１または請求項３に記載の光ファイバ。
【請求項６】
前記ジャケットを囲む一次被覆層および二次被覆層を更に備え、
前記二次被覆層のヤング率が８００ＭＰａ以上であり、
前記一次被覆層のヤング率が０.２ＭＰａ以上１ＭＰａ以下である、
ことを特徴とする請求項１または請求項３に記載の光ファイバ。
【請求項７】
前記光学クラッドを基準とした相対屈折率差Δcoreが０.３５％以上０.５０％以下であり、
前記ジャケットは、前記光学クラッドを基準とした相対屈折率差ΔJが０.０３％以上０.２０％以下である、
請求項２に記載の光ファイバ。
【請求項８】
２２ｍケーブルカットオフ波長が１２６０ｎｍ以下であり、
波長１５５０ｎｍにおける伝送損失が０.１８ｄＢ／ｋｍ以下である、
請求項２または請求項７に記載の光ファイバ。
【請求項９】
２ｍファイバカットオフ波長が１２６０ｎｍ以下であり、
波長１３１０ｎｍにおけるモードフィールド径が８.２μｍ以上である、
請求項７または請求項８に記載の光ファイバ。
【請求項１０】
波長１３１０ｎｍにおけるモードフィールド径が９μｍ以下である、
請求項７〜請求項９の何れか１項に記載の光ファイバ。
【請求項１１】
前記ジャケットを囲む一次被覆層および二次被覆層を更に備え、
前記二次被覆層のヤング率が８００ＭＰａ以上であり、
前記一次被覆層のヤング率が１ＭＰａ以下である、
請求項２、請求項７〜請求項１０の何れか１項に記載の光ファイバ。
【請求項１２】
前記一次被覆層のヤング率が０.２ＭＰａ以上である、
請求項１１に記載の光ファイバ。
【請求項１３】
ファイバ軸に垂直な断面において前記ジャケットの断面積のうち５０％以上の部分の応力が引張応力であることを特徴とする請求項１〜請求項１２の何れか１項に記載の光ファイバ。
【請求項１４】
波長１３８３ｎｍにおけるＯＨ基による伝送損失増加が０.０２ｄＢ／ｋｍ以下であることを特徴とする請求項１〜請求項１３の何れか１項に記載の光ファイバ。
【請求項１５】
前記中心コアにフッ素が添加されていることを特徴とする請求項１〜請求項１３の何れか１項に記載の光ファイバ。
【請求項１６】
波長１５５０ｎｍにおける曲げ半径１５ｍｍでの曲げ損失が０.００２ｄＢ／turn以下であることを特徴とする請求項１〜請求項１４の何れか１項に記載の光ファイバ。
【請求項１７】
波長１５５０ｎｍにおける曲げ半径１０ｍｍでの曲げ損失が０.２ｄＢ／turn以下であることを特徴とする請求項１〜請求項１５の何れか１項に記載の光ファイバ。
【請求項１８】
波長１５５０ｎｍにおける曲げ半径７.５ｍｍでの曲げ損失が０.５ｄＢ／turn以下であることを特徴とする請求項１〜請求項１５の何れか１項に記載の光ファイバ。
【請求項１９】
波長１６２５ｎｍにおける曲げ半径１５ｍｍでの曲げ損失が０.０１ｄＢ／turn以下であることを特徴とする請求項１〜請求項１５の何れか１項に記載の光ファイバ。
【請求項２０】
波長１６２５ｎｍにおける曲げ半径１０ｍｍでの曲げ損失が０.４ｄＢ／turn以下であることを特徴とする請求項１〜請求項１５の何れか１項に記載の光ファイバ。
【請求項２１】
波長１６２５ｎｍにおける曲げ半径７.５ｍｍでの曲げ損失が１ｄＢ／turn以下であることを特徴とする請求項１〜請求項１５の何れか１項に記載の光ファイバ。
【請求項２２】
波長１３１０ｎｍにおけるモードフィールド径ＭＦＤ[μｍ]と２ｍファイバカットオフ波長λc[μｍ]との比であるＭＡＣ値（＝ＭＦＤ／λc）が６.６以下であることを特徴とする請求項１〜請求項２１の何れか１項に記載の光ファイバ。
【請求項２３】
長さ１０ｋｍ以上のファイバを１４０φボビンに巻いた状態で測定した波長１５５０ｎｍにおける伝送損失をα_Bとし、束状態にして測定した波長１５５０ｎｍにおける伝送損失をα_tとしたときに、両者の伝送損失の差α_B−α_tが０.０１ｄＢ／ｋｍより小さいことを特徴とする請求項１〜請求項２２の何れか１項に記載の光ファイバ。
【請求項２４】
素線外径が２１０μｍ以下であり、二次被覆層の厚みが１０μｍ以上であることを特徴とする請求項１〜請求項２３の何れか１項に記載の光ファイバ。
【手続補正２】
【補正対象書類名】明細書
【補正対象項目名】発明の名称
【補正方法】変更
【補正の内容】
【発明の名称】光ファイバ
【手続補正３】
【補正対象書類名】明細書
【補正対象項目名】０００１
【補正方法】変更
【補正の内容】
【０００１】
本発明は、光ファイバに関するものである。
【手続補正４】
【補正対象書類名】明細書
【補正対象項目名】０００９
【補正方法】変更
【補正の内容】
【０００９】
本発明は、上記問題点を解消する為になされたものであり、光アクセスネットワークの光伝送路として好適に用いられる安価で低損失の光ファイバを提供することを目的とする。
【手続補正５】
【補正対象書類名】明細書
【補正対象項目名】００１０
【補正方法】変更
【補正の内容】
【００１０】
本発明の光ファイバは、石英ガラスからなる光ファイバであって、光ファイバの中心軸を含む中心コアと、この中心コアを囲む光学クラッドと、この光学クラッドを囲むジャケットと、を備え、中心コアは、ＧｅＯ２を含み、光学クラッドを基準とした相対屈折率差Δcoreが０.３５％以上０.５０％以下であり、径方向位置ｒにおける比屈折率差をΔ(ｒ)としコア半径をａとしたとき下記（１）式で表される屈折率体積ｖが４.５％・μｍ２以上９.５％・μｍ２以下であり、ジャケットは、光学クラッドを基準とした相対屈折率差ΔJが０.０３％以上０.２０％以下であり、中心コアを構成するガラスの仮想温度が１４００℃以上１５９０℃以下、好ましくは１５６０℃以下、より好ましくは１５３０℃以下であり、中心コアに残留する応力が圧縮応力であり且つその絶対値が５ＭＰａ以上であることを特徴とする。
或いは、本発明の光ファイバは、石英ガラスからなる光ファイバであって、光ファイバの中心軸を含む中心コアと、この中心コアを囲む光学クラッドと、この光学クラッドを囲むジャケットと、を備え、中心コアは、ＧｅＯ２を含み、径方向位置ｒにおける比屈折率差をΔ(ｒ)としコア半径をａとしたとき下記（１）式で表される屈折率体積ｖが４.５％・μｍ２以上９.５％・μｍ２以下であり、中心コアを構成するガラスの仮想温度が１３００〜１５９０℃であり、中心コアに残留する応力が３０ＭＰａ以下の圧縮応力または１０ＭＰａ以下の引張応力であることを特徴とする。